(57)【特許請求の範囲】
【請求項１】
遊技台の配列に沿って形成される搬送路に沿って紙幣を搬送する紙幣搬送装置において、
前記搬送路の上流側より紙幣を受け入れる上流側受入口と、
前記搬送路の下流側へ紙幣を搬出する下流側送出口とを有し、
前記上流側受入口から受け入れた紙幣を、前記下流側送出口に向けて搬送する主搬送路と、
前記主搬送路の前後に紙幣の受入口が設けられ、
前記主搬送路の片側にモータ駆動される搬送ベルトを対面させる一方、
該搬送ベルトに沿って所定間隔で圧接された複数のベルト従動ローラと、
夫々のベルト従動ローラに紙幣を導入して各ベルト従動ローラと搬送ベルトとの間に紙幣を案内し主搬送路へ導く導入部を配設した導入ガイドと、
前記導入ガイドに相対して横方向にスライド自在であると共に、前記導入部と連通する補助導入路を設けた補助ガイドと、
前記補助ガイドに相対して横方向にスライド自在であると共に、前記補助ガイドと合わさることによって前記補助導入路に連通する導入搬送路を形成する可動ガイドとを備え、
前記可動ガイドには紙幣を受け入れ、前記導入搬送路へ該紙幣を搬送する受入口が設けられ、
該受入口には、紙幣を挟持して搬入する搬入機構が設けられ、
前記受入口から受け入れた紙幣は、搬入機構により導入搬送路へ搬入し、連通する補助導入路から導入路へ案内され、主搬送路へ紙幣を搬送することを特徴とする紙幣搬送装置。
【請求項２】
前記導入ガイドの前側面の上下部に横方向に間隔をあけて設けられた複数の位置決め用溝と、
前記補助ガイドの夫々の後側面の上下部に設けられた位置決め用爪とを備え、
前記補助ガイドを横方向にスライドすることによって、該補助ガイドの上下部の位置決め用爪を前記導入ガイドの上下部の複数の位置決め用爪のいずれかに選択的に嵌合して固定状態にする固定手段を設けたことを特徴とする請求項１記載の紙幣搬送装置。
【発明の詳細な説明】
【技術分野】
【０００１】
本発明は、遊技台配列方向の前後に設けられた受入口より紙幣を受け入れた後、該紙幣を遊技台配列方向に設けられた搬送路に沿って搬送する紙幣搬送装置に係り、受入口の位置を可変とし得る紙幣搬送装置に関するものである。
【背景技術】
【０００２】
従来、パチンコ、パチスロ遊技店においては、パチンコ台やスロットマシン等の遊技台を横方向、直線的に配列し、遊技台１台ごとに、遊技客が投入する紙幣の真偽判定を行う紙幣識別機を備えた遊技媒体貸出機が連接され、その遊技媒体貸出機の背面に遊技台配列方向に沿って紙幣を遊技島端に設置された金庫に搬送する紙幣搬送装置を備えた構成により遊技島が構築されている。
【０００３】
また、上記の紙幣搬送装置は遊技媒体貸出機に対応して設けられたユニット型の紙幣搬送装置を複数連結することにより搬送路を形成し、遊技媒体貸出機に内蔵された紙幣識別機に紙幣を挿入して、該紙幣を受入口から搬送路へ受け渡した後、金庫へ搬送するようにしている。このような紙幣搬送装置においては、遊技島の遊技台配列方向の前後に配列された各遊技媒体貸出機の背面に紙幣搬送装置の前後の受入口が設けられるため、前後に配列された各遊技台の間口が同じであれば、前後の遊技媒体貸出機の設置位置に対応して、前後の受入口も同一の位置に設けられることとなる。
【０００４】
ところが、遊技台の間口を広くとって遊技客がゆったりと座れるスペースを確保する場合、また遊技台の種類に応じて遊技台の間口を調整する場合、さらには島内の遊技台或いは遊技媒体貸出機のレイアウトを変更する場合等、遊技媒体貸出機の設置位置がずれることによって受入口との相対位置がずれるため、前後の受入口の位置を調整する必要が生じる。この場合、従来の紙幣搬送装置では受入口が定位置に固定されているため、改めて紙幣搬送装置を製造する必要が生じ、そのような受入口の変化に柔軟に対応することができないという不都合があった。
【０００５】
このような不都合を解消するため、受入口が可変する構造の紙幣搬送装置が開発されている。その例として、特許文献１に記載されているものは、遊技台の配列の搬送路に沿って紙幣を搬送する紙幣搬送装置が構成され、前側より紙幣を受け入れる前側受入口と、受け入れた紙幣を搬送路に導入させる前側受入部とを有し、また後側より紙幣を受け入れる後側受入口と、受け入れた紙幣を搬送路に導入させる後側受入部とを有し、前側受入部および後側受入部のうち少なくともいずれか一方は、主搬送部に対する相対位置の変更自在な可動受入部とした構成を有するものである。
【０００６】
ところで、この特許文献１における受入口の可動構成は、搬送路に沿って固定案内部材が設けられ、固定案内部材を有する駆動ケースに対して可動案内部材がスライド自在に設けられてなるものであるが、このスライド量が駆動部の大きさで制限されるため、可動案内部材に設けられた受入口の位置ずれ量が少ないという欠点がある。
【０００７】
また、特許文献２に記載されている紙幣搬送ユニットは、紙幣の本流搬送路に沿って二対のプーリが並んで配置され、それぞれの一対のプーリに無端ベルトが掛架され、本流搬送路とは別に無端ベルトによる搬送手段を有し、また紙幣を本流搬送路に引き込むための紙幣引き込み通路が形成され、この紙幣引き込み通路にも上記の本流搬送路とは別の無端ベルトが設けられ、さらに紙幣識別装置を通過した紙幣をそれぞれの紙幣引き込み通路に引き込むために紙幣送出具が設けられた構成を有する。
【０００８】
上記のように、この特許文献２は、本流搬送路とは別に、該本流搬送路に紙幣を導入させる紙幣引き込み通路を有し、この紙幣引き込み通路にも上記の本流搬送路とは別の無端ベルトによる搬送手段を有するため、構造が複雑であり、部品点数が多いためコストアップとなり、組立作業が煩雑であって時間がかかり、生産性が悪いという不都合が生じる。さらに、無端ベルトが幅方向に何重にも設けられているため、紙幣搬送装置の幅が大きくなり、スペースのない遊技島内には設置できないという不都合がある。
【特許文献１】特開２００２−１１３２５０号公報
【特許文献２】特開２００７−１２８１４２号公報
【発明の開示】
【発明が解決しようとする課題】
【０００９】
本発明は、上記の事情に鑑みてなされたもので、遊技台配列方向の前後に設けられた受入口の位置を可変とし得る紙幣搬送装置を簡単且つ安価に製造し、また狭い遊技島内に設置することができるように幅狭の構成を成し、しかも受入口の位置ずれ量が大きくとも確実に主搬送路に紙幣を流すことができる紙幣搬送装置を提供することを目的とする。
【課題を解決するための手段】
【００１０】
上記の問題を解決するために、本発明の請求項１の紙幣搬送装置は、遊技台の配列に沿って形成される搬送路に沿って紙幣を搬送する紙幣搬送装置において、前記搬送路の上流側より紙幣を受け入れる上流側受入口と、前記搬送路の下流側へ紙幣を搬出する下流側送出口とを有し、前記上流側受入口から受け入れた紙幣を、前記下流側送出口に向けて搬送する主搬送路と、前記主搬送路の前後に紙幣の受入口が設けられ、前記主搬送路の片側にモータ駆動される搬送ベルトを対面させる一方、該搬送ベルトに沿って所定間隔で圧接された複数のベルト従動ローラと、夫々のベルト従動ローラに紙幣を導入して各ベルト従動ローラと搬送ベルトとの間に紙幣を案内し主搬送路へ導く導入部を配設した導入ガイドと、
前記導入ガイドに相対して横方向にスライド自在であると共に、前記導入部と連通する補助導入路を設けた補助ガイドと、前記補助ガイドに相対して横方向にスライド自在であると共に、前記補助ガイドと合わさることによって前記補助導入路に連通する導入搬送路を形成する可動ガイドとを備え、前記可動ガイドには紙幣を受け入れ、前記導入搬送路へ該紙幣を搬送する受入口が設けられ、該受入口には、紙幣を挟持して搬入する搬入機構が設けられ、前記受入口から受け入れた紙幣は、搬入機構により導入搬送路へ搬入し、連通する補助導入路から導入路へ案内され、主搬送路へ紙幣を搬送することを特徴とする。
【００１１】
また、本発明の請求項２の紙幣搬送装置は、請求項１において、前記導入ガイドの前側面の上下部に横方向に間隔をあけて設けられた複数の位置決め用溝と、前記補助ガイドの夫々の後側面の上下部に設けられた位置決め用爪とを備え、前記補助ガイドを横方向にスライドすることによって、該補助ガイドの上下部の位置決め用爪を前記導入ガイドの上下部の複数の位置決め用爪のいずれかに選択的に嵌合して固定状態にする固定手段を設けたことを特徴とする。
【発明の効果】
【００１２】
本発明の紙幣搬送装置によれば、補助ガイドに合わさる可動ガイドの位置が異なる場合であっても、可動ガイドの導入搬送路と補助ガイドの補助導入路と導入ガイドの導入部とが連通して主搬送路への導入通路を形成するため、受入口の位置ずれ量が大きくとも、受入口から受け入れた紙幣を確実に主搬送路に流すことが可能となる。
【００１３】
また、主搬送路に対面した搬送ベルトの駆動以外の副搬送路（可動ガイドの導入搬送路と補助ガイドの補助導入路と導入ガイドの導入部による導入通路）に駆動部が不要であるため、構造を簡素化することができ、安価に製造できると共に、組み立てやすく、生産性の向上に有益となる。さらに、上記の構成によって、前後方向の幅を狭く形成することができ、狭い遊技島であっても設置することが可能となる。
【発明を実施するための最良の形態】
【００１４】
以下、本発明の実施例について図面を参照しながら説明する。
【実施例１】
【００１５】
本発明による紙幣搬送装置１は、不図示の遊技島に設けられた遊技台の配列に沿って列状に連結されると共に、各紙幣搬送装置１には、図１(ｃ)に示すように遊技台の配列方向に伸びる搬送路Ｌが形成され、該搬送路Ｌに沿って紙幣が搬送されるものであり、搬送後の紙幣は不図示の金庫によって回収される。
【００１６】
本実施例に係る紙幣搬送装置１は、図１(ａ)、(ｂ)に示すように、紙幣の搬送機構およびその駆動機構を備える駆動ケース２と、隣接する紙幣搬送装置１の駆動ケース２へ紙幣を搬送する搬送腕３と、搬送路Ｌに沿う紙幣搬送装置１の取り付け位置の誤差を吸収するため、遊技台配列方向への移動を自在に搬送腕３に対して支持するジョイント４とを備えている。
【００１７】
ここで、紙幣搬送装置１の内部構成について説明する。図１(ｃ)に示すように、本実施例に係る紙幣搬送装置１は、駆動ケース２の前側より紙幣を受け入れる可動受入口５と、後側より紙幣を受け入れる固定受入口６と、搬送路Ｌにおいて紙幣を搬送する主搬送路７を備えている。また、図２(ｂ)に示すように、固定受入口６は該固定受入口６で受け入れた紙幣を主搬送路７へ案内する導入路Ｓ１を有し、可動受入口５は該可動受入口５で受け入れた紙幣を主搬送路７へ案内する導入路Ｓ２を有している。さらに、主搬送路７は、搬送路Ｌの上流側（図１(ｃ)の左側）より紙幣を受け入れる上流側受入口８と、搬送路Ｌの下流側（図１(ｃ)の右側）へ紙幣を送出する下流側送出口９とを備え、可動受入口５、固定受入口６または上流側受入口８より受け入れた紙幣を下流側送出口９に向けて搬送する構造とされている。
【００１８】
上記の紙幣搬送装置１の駆動ケース２を示す図２(ｂ)において、主搬送路７の上流側受入口８の近傍においては、第１の駆動ローラ１１がその外周を主搬送路７の通路内に突出した状態に設けられると共に、後述する導入ガイド１０（図５参照）に設けられた第１のテンションローラ１２が第１の駆動ローラ１１に圧接した状態に設けられ、第１の駆動ローラ１１の駆動及び第１のテンションローラ１２の従動によって上流側受入口８より受け入れた紙幣を主搬送路７に引き入れ、下流側送出口９に向けて搬送することができる。
【００１９】
また、固定受入口６は駆動ケース２に固定状態に設けられ、固定受入口６で受け入れた紙幣を導入路Ｓ１に沿って主搬送路７へ案内するための固定導入案内部材１３が設けられている。この固定導入案内部材１３は主搬送路７に近づくに従って狭くなる通路を有し、固定導入案内部材１３の前側（図２(ｂ)の下側）においては、搬入機構として第２の駆動ローラ１４と第２のテンションローラ１５とが互いに圧接状態で設けられ、導入路Ｓ１に沿って搬入された紙幣を第２の駆動ローラ１４の駆動及び第２のテンションローラ１５の従動によって主搬送路７に導入することができる。
【００２０】
さらに、固定受入口６の固定導入案内部材１３は主搬送路７に向けて勾配をなして合流すると共に、この合流部位の近傍から駆動ケース２の下流側送出口９（図１(ｃ)参照）の端部に到るまでの間には、主搬送路７の片側に対面した状態で第１のベルト駆動プーリ１６に掛けて後述する駆動モータ１７によって駆動される搬送ベルト１８が設けられている。
【００２１】
この搬送ベルト１８は無端ベルトによって構成され、図１(ｃ)に示すように、主搬送路７の上流側に設けられた第１のベルト駆動プーリ１６と下流側送出口９の端部付近に設けられた第２のベルト駆動プーリ１９とに掛けられ、第１のベルト駆動プーリ１６と第２のベルト駆動プーリ１９との間は駆動ケース２内の主搬送路７に沿って複数のベルト駆動ローラ２０、２０…が間隔をあけて設けられると共に、搬送腕３内の主搬送路７に沿って複数のベルト駆動ローラ２１、２１が間隔をあけて設けられ、これらのローラによって搬送ベルト１８の弛みが防止されると共に、固定受入口６と主搬送路７との合流部位の近傍から下流側送出口９の端部付近までの間において、搬送ベルト１８が主搬送路７の片側に対面した状態で下流方向へ駆動される構成とされている。
【００２２】
なお、各ベルト駆動ローラ２１、２１及び第２のベルト駆動プーリ１９は、搬送腕３内に搬送ベルト１８を介して配設されたテンションローラ４２、４２…によって押圧され、搬送ベルト１８に対面したテンションローラ４２、４２…によって搬送腕３内における主搬送路７を形成している。
【００２３】
また、駆動ケース２内においては、4個のベルト駆動ローラ２０、２０…が略等間隔に設けられている。これは後述する導入ガイド１０に設けられた4個のベルト従動ローラ４８、４８…と対接する位置に設けられたものであり、導入ガイド１０に設けられたベルト従動ローラ４８、４８…の配設位置に対応して設けられ、該ベルト従動ローラ４８、４８…の配設個数或いは配置間隔が変われば、それに応じて駆動ケース２内に設けられたベルト駆動ローラ２０、２０…の配設個数或いは配置間隔も変化すると良い。
【００２４】
ここで、駆動ケース２内に設けられた各種ローラまたはプーリの駆動機構について説明する。なお、図３（ａ）は紙幣搬装置の駆動ケース２を上面から見た外観図であり、図３(ｂ)は紙幣搬送装置１の駆動ケース２を正面から見た外観図であり、図３(ｃ)は紙幣搬送装置１を下面から見た外観図であり、この図３(ｃ)において駆動モータ１７の図示は省略してある。
【００２５】
図２(ｂ)に示すように、紙幣搬送装置１の駆動ケース２の下側にはモータケース２２が設けられ、該モータケース２２に駆動モータ１７が固設されている。また、図３(ｂ)、(ｃ)に示すように、駆動モータ１７のモータ軸１７ａに固設されたモータギヤ２３には従動ギヤ２４とベルト駆動ギヤ２５が歯合されている。このうち従動ギヤ２４はそのギヤ軸２４ａを駆動ケース２の上側に突出してギヤ軸２４ａの上端に駆動上部プーリ２７（図３（ａ）参照）が結合されると共に、このギヤ軸２４ａの中間には図２(ｂ)に示すように駆動ケース２の内部に設けられた第２の駆動ローラ１４が結合され、駆動モータ１７の駆動により上記の伝達機構を介して第２の駆動ローラ１４が回転駆動される。
【００２６】
また、図３（ａ）に示すように、上記の駆動上部プーリ２７に掛けられた駆動ベルト２８は、駆動ケース２の上流側（図３（ａ）の左側）近傍に設けられた連結駆動ギヤ２９の同軸プーリ２９ａに掛けられている。また、連結駆動ギヤ２９のギヤ軸２９ｂは駆動ケース２の下側に伸びてギヤ軸２９ｂの下端部が軸受３０（図３(ｃ)参照）で回動自在に支持され、このギヤ軸２９ａの中間には図２(ｂ)に示すように駆動ケース２内に設けられた第１の駆動ローラ１１が結合され、駆動モータ１７の駆動により上記の伝達機構を介して第１の駆動ローラ１１が回転駆動される。
【００２７】
また、図３(ａ)に示すように、連結駆動ギヤ２９はその近傍であって駆動ケース２の前側（図３（ａ）の下側）に設けられた伝達従動ギヤ３１に歯合している。この伝達従動ギヤ３１に同軸に形成された同軸プーリ３１ｂには駆動ベルト３３が掛けられている。
【００２８】
この駆動ベルト３３は無端ベルトからなり、駆動ケース２の上面であって下流側（図３（ａ）の右側）端部に設けられたベルト駆動プーリ３４に掛けられたことにより、該駆動ベルト３３は駆動ケース２の上面において略並行に均等幅をなし、さらに駆動ベルト３３の前側の途中は後述する可動ガイド５０に設けられた駆動上部プーリ２６及びその両側に近接して設けられた伝達ベルトガイド３６、３７に巻回され、このような構成によって、上記の駆動モータ１７の駆動により、上記の伝達機構及び駆動ベルト３３を介して後述する可動ガイド５０の駆動上部プーリ２６を滑りのない状態で回動することが可能とされている。
【００２９】
さらに、図３(ｃ)に示すように、モータギヤ１７ａはベルト駆動ギヤ２５に歯合され、そのギヤ軸２５ａの端部を駆動ケース２の上側に設けられた軸受３７で回動自在に支持すると共に、このギヤ軸２５ａの中間には図２(ｂ)に示すように駆動ケース２の内部に設けられた第１のベルト駆動プーリ１６が結合され、駆動モータ１７の駆動により上記の伝達機構を介して第１のベルト駆動プーリ１６が回転駆動され、これによって上記の搬送ベルト１８が駆動される。
【００３０】
次に、図４に示すように上側駆動ケース５２ａと下側駆動ケース５２ｂの間に取り付けられる導入ガイド１０、補助ガイド４０及び可動ガイド５０について述べる。なお、図４は上側駆動ケース５２ａと下側駆動ケース５２ｂとの間に取付ける導入ガイド１０、補助ガイド４０及び可動ガイド５０を一体的に取り付けた斜視図であり、これらの導入ガイド１０、補助ガイド４０、可動ガイド５０を分解した個々の状態は、図５、図６、図７に図示してある。
【００３１】
まず、図５に示す導入ガイド１０は、図５（ａ）に示すように、横長の長方形状に形成され、図１(ｂ)に示すように駆動ケース２の側面を略覆う面積を有すると共に、該導入ガイド１０の上下辺に形成された上下のガイド片１０ａ、１０ｂの上流側端部付近には凹溝５１、５１が形成されている。
【００３２】
一方、図４に示すように、上側駆動ケース５２ａと下側駆動ケース５２ｂとには３条のガイド用溝部５３ａ、５３ｂ、５３ｃが互いに上下に対向した状態（図８参照）で並設されている。なお、図４には下側駆動ケース５２ｂのガイド用溝部５３ａ、５３ｂ、５３ｃが図示され、上側駆動ケース５２ａのガイド用溝部は図示していないが、図８に示すように、上側駆動ケース５２ａにも下側駆動ケース５２ｂのガイド用溝部５３ａ、５３ｂ、５３ｃと同様の溝部が形成されている。
【００３３】
上記の３条のガイド用溝部５３ａ、５３ｂ、５３ｃのうち、最奥部の第１のガイド用溝部５３ａは導入ガイド１０の上下のガイド片１０ａ、１０ｂの全長を挿着し得る長さを有すると共に、第１のガイド用溝部５３ａの上流側端部付近には突起５４が形成され、この導入ガイド１０の上下のガイド片１０ａ、１０ｂを上側駆動ケース５２ａと下側駆動ケース５２ｂの夫々の第１のガイド用溝５３ａ、５３ａに挿着したとき、上下の凹溝５１、５１が上下の突起５４、５４に嵌合することによって、導入ガイド１０を上側駆動ケース５２ａと下側駆動ケース５２ｂと間の所定位置に挟み込んで固定状態にすることができる。
【００３４】
また、導入ガイド１０は、図５(ａ)、(ｂ)に示すように、導入ガイド１０の上流側（図５の各図の左側）に相当する端部の略中央にローラ保持片３８が突出形成され、該ローラ保持片３８の内部に形成された空所には第１のテンションローラ１２が横方向に回動自在に軸支されている。この第１のテンションローラ１２のローラ軸１２ａはローラ保持片３８の両側に設けられた弾性バネ１２ｂ、１２ｂ（例えばコイルバネ）によって支持され、外的な押圧力に対し弾性力を発揮することが可能とされている。具体的には、図２(ｂ)に示すように、第１のテンションローラ１２は上流側受入口８の近傍に設けられた第１の駆動ローラ１１に対接され、第１の駆動ローラ１１と第１のテンションローラ１２との間に上流側から進入した紙幣を第１の駆動ローラ１１の回転駆動とテンションローラ１２の従動によって下流側へ搬送することが可能とされている。
【００３５】
さらに、導入ガイド１０の長方形状の本体側には、その上流側に矩形の案内部３９を有し、この案内部３９の前面には横方向に長尺に形成された突起４１が上下方向に小間隔をあけて列設されている。この案内部３９以外の下流側には上下方向に形成された４条のスリット４３、４３…を横方向に等間隔で設けた構成とされ、夫々のスリット４３において上流側の辺に沿って上下方向に小間隔を均等にあけた状態で、多数の案内用爪４４、４４…が下流側に向けて突出形成されている。また、各スリット４３の下流側には上記の案内用爪４４、４４…に対して交互に配列された間隔（図５（ａ）参照）を有して多数の傾斜状爪４５、４５…が形成されている。
【００３６】
このような構成において、図５(ｂ)に示すように、夫々のスリット４３の各案内用爪４４及び各傾斜爪４５は下流側に斜めに入る勾配を有し、各スリット４３が図９(ａ)又は(ｂ)に示すように、可動受入口５で受け入れた紙幣を導入路Ｓ２に沿って主搬送路７へ案内するための導入部５Ｃとして機能することになる。
【００３７】
さらに、本実施例の導入ガイド１０においては、図５(ａ)に示すように、各スリット４３、４３間（最下流側のスリット４３においては該スリット４３と導入ガイド１０の右端との間）には、上下方向の略中間位置に横方向に回動する４個のベルト従動ローラ４８が軸支されている。これらのベルト従動ローラ４８は上記の第１のテンションローラ１２と同様に、夫々のローラ軸４８ａがベルト従動ローラ４８の両側に設けられた弾性バネ４９、４９（例えばコイルバネ）によって支持され、外的な押圧力に対し弾性力を発揮することが可能とされている。具体的には、図１(ｃ)に示すように、各ベルト従動ローラ４８は搬送ベルト１８を案内する各ベルト駆動ローラ２０、２０…に対接して設けられ、夫々のベルト駆動ローラ２０、２０…によって案内される搬送ベルト１８と各ベルト従動ローラ３８との間を進入する紙幣を下流側へ搬送する。
【００３８】
さらに、上記の導入ガイド１０の各スリット４３、４３…の下流側近傍の上下部には、補助ガイド４０の上下部に設けられた位置決め用爪６５を嵌合するための位置決め用溝４６が横方向に等間隔で形成されている。夫々の位置決め用溝４６は導入ガイド１０の前側に滑らかな勾配を有して隆起した隆起部４７の頂部に形成されている。
【００３９】
次に、上記の導入ガイド１０の前側に設けられる補助ガイド４０は、図６（ａ）に示すように、導入ガイド１０と同様の上下幅を有する略四角形状に形成されている。この補助ガイド４０はその上下辺に形成された上下のガイド片４０ａ、４０ｂを上側駆動ケース５２ａと下側駆動ケース５２ｂとに設けられた第２のガイド溝部５３ｂ、５３ｂに挿着可能であり（図８参照）、またこの挿着後の状態において上下の第２のガイド溝部５３ｂ、５３ｂに沿って補助ガイド４０を横方向にスライドすることが可能とされている。
【００４０】
この補助ガイド４０の下流側端部の上下部には弾性片６４、６４が上流側に自由端を有して形成され、各弾性片６４、６４には裏側に向けて位置決め用爪６５、６５が突出形成されている。この位置決め用爪６５、６５は上記の導入ガイド１０の上下部に設けられた位置決め用溝４６に嵌合されることによって導入ガイド１０に対する補助ガイド４０の横方向の位置を固定し得るものである。従って、本実施例の構成においては、導入ガイド１０の上下部に設けられた位置決め用溝４６、４６は導入ガイド１０の横方向に等間隔で４箇所に設けられ、夫々の位置決め用溝４６に嵌合される補助ガイド４０の位置決め用爪６５は横方向にスライドして４箇所の各所において選択的に位置決めすることが可能とされている。
【００４１】
さらに、この補助ガイド４０の下流側右端の上下部にはネジ穴５５ａを形成した固定用突出片５５、５５が形成されている。また、図４に示すように上側駆動ケース５２ａと下側駆動ケース５２ｂとの前側枠５７ａ、５７ｂに沿って複数のネジ穴５６ａ、５６ｂが形成されている。そして、上側駆動ケース５２ａと下側駆動ケース５２ｂの夫々の第２のガイド溝部５３ｂ、５３ｂに補助ガイド４０の上下のガイド片４０ａ、４０ｂを挿入し、補助ガイド４０を横方向にスライドして選択した上側駆動ケース５２ａと下側駆動ケース５２ｂの所要のネジ穴５６ａ、５６ｂに対して補助ガイド４０の上下の固定用突出片５５のネジ穴５５ａを合致させた状態でネジ５７（図２（ａ）参照）で締結することによって、補助ガイド４０を所定の横方向位置に固定することができる。
【００４２】
また、上記の補助ガイド４０は、図６（ａ）に示すように、上流側の略半分の面積を有して案内部５８を有し、該案内部５８の後面には上下部に小間隔を有して横方向に長尺の突起５９（図６(ｂ)参照）が形成されている。また、補助ガイド４０の横方向の略中央に上下方向に形成されたスリット６０が形成され、該スリット６０には上記の長尺の突起５９、５９…の小間隔から下流側に向けて突出形成された複数の案内用爪６１、６１…がされている。
【００４３】
さらに、上記の補助ガイド４０においては、図６(ｂ)に示すように、スリット６０の上流側に形成された各案内用爪６１と下流側に形成された各傾斜爪６３は、下流側に斜めに入る勾配を有し、本実施例においてはこのスリット６０が図９(ａ)、(ｂ)に示すように可動受入口５から入った紙幣が主搬送路７に案内される補助導入部５Ｂとして機能し、導入ガイド１０の前面における所定位置に固定した補助ガイド４０の補助導入部５Ｂと導入ガイド１０の導入部５Ｃとが一致して連接状態となり、後述する可動ガイド５０の可動受入口５から進入する紙幣を導入して主搬送路７へ送り込むことになる。なお、図６(ｂ)において、補助導入部５Ｂの前側に示す導入搬送路５Ａは、補助ガイド４０に後述する可動ガイド５０が合わさることによって形成される導入搬送路５Ａであり、可動ガイド５０の可動受入口５から連通されるものである。
【００４４】
次に、図７に示す可動ガイド５０は、導入ガイド１０及び補助ガイド４０と同様の上下幅を有する略四角形状に形成されている。この可動ガイド５０の上下辺には上下のガイド片５０ａ、５０ｂが形成され、図４に示す上側駆動ケース５２ａと下側駆動ケース５２ｂとに設けられた第３のガイド溝部５３ｃ、５３ｃ（図８参照）に挿着可能であり、またこの挿着後の状態において上下の第３のガイド溝部５３ｃに沿って可動ガイド５０を横方向にスライドすることが可能とされている。なお、この可動ガイド５０は、所定位置に設けられた遊技媒体貸出機（不図示）に対して可動ガイド５０を横方向にスライドし、可動ガイド５０の前面に固設した取付部６５（図１(ｂ)参照）を介して遊技媒体貸出機に取り付けられることによって所定位置に固定されることとなる。
【００４５】
さらに、可動ガイド５０は、上記のように可動ガイド５０の上部に駆動上部プーリ２６及びその両側に近接して設けられた伝達ベルトガイド３６、３７が設けられている。なお、図７(ａ)、(ｂ)には駆動上部プーリ２６及び伝達ベルトガイド３６、３７は可動ガイド５０の上部に突出形成されたプーリケース６６（図４参照）に収納されているが、図３(ｂ)に示すように、駆動上部プーリ２６及び伝達ベルトガイド３６、３７には駆動ベルト３３が巻回され、駆動モータ１７の駆動により駆動ベルト３３によって伝達される駆動力を得て駆動上部プーリ２６が回動され、該駆動上部プーリ２６のプーリ軸２６ａの略中間に結合された駆動ローラ３５（図２(ｂ)参照）を駆動し、該駆動路ローラ３５に対接されたテンションローラ６７を従動する。
【００４６】
なお、上記の構成において、図３(ｂ)、(ｃ)に示すように、可動ガイド５０の駆動上部プーリ２６のプーリ軸２６ａは下側に伸長して駆動ケース２の下面に設けられた軸受２６ｂで回動自在に支持されている。
【００４７】
また、図７(ａ)、(ｂ)に示すように、可動ガイド５０の上下方向には可動受入口５が形成され、この可動受入口５は内方（後側）に向けて下流側に傾斜した通路を成して導入路Ｓ２が構成され、この通路の後側には搬入機構として上記の駆動ローラ３５とテンションローラ６７とが対接状態に設けられている。
【００４８】
上記のように構成された導入ガイド１０、補助ガイド４０及び可動ガイド５０は、上側駆動ケース５２ａと下側駆動ケース５２ｂとの間に上記のように挟み込んで取付けることができるため、各部品の組立性およびメンテナンス性に利便であると共に、遊技媒体貸出機と連接される可動受入口５の位置に応じて、補助ガイド４０と可動ガイド５０を上記のように横方向にスライドして固定することが可能となる。
【００４９】
上記の本実施例による紙幣搬送装置は、上側駆動ケース５２ａと下側駆動ケース５２ｂとの間に導入ガイド１０、補助ガイド４０及び可動ガイド５０を取り付けた状態において、図９(ａ)又は(ｂ)に示すように、補助ガイド４０と可動ガイド５０を可動（スライド）したため、補助ガイド４０に合わさる可動ガイド５０の位置が異なる場合であっても、紙幣の導入の流れを点線Ｆで示すように、可動ガイド５０の可動受入口５に連通する導入搬送路５Ａと補助ガイド４０のスリット６０による補助導入路５Ｂと導入ガイドのスリット４３による導入部５Ｃとが連通して主搬送路７への導入通路を形成し、また主搬送路７へ導入された紙幣は搬送ベルト１８とベルト従動ローラ４８との間に引き込まれて主搬送路７に送り込まれて、下流側に搬送されることが可能となる。
【産業上の利用可能性】
【００５０】
本発明の紙幣搬送装置は、遊技台配列方向の前後に設けられた受入口の位置を可変とし得る紙幣搬送装置を簡単且つ安価に製造し、また狭い遊技島内に設置することができるように幅狭の構成をなし、しかも受入口の位置ずれ量が大きくとも確実に主搬送路に紙幣を流すことができる紙幣搬送装置として利用することが可能である。
【図面の簡単な説明】
【００５１】
【図１】(ａ)は本発明の実施例による紙幣搬送装置の上面図、(ｂ)は正面図、(ｃ)は図１(ｂ)のＡ−Ａ線断面図である。
【図２】(ａ)は本発明の実施例による紙幣搬送装置の駆動ケースに係る正面図、(ｂ)は図２（ａ）のＢ−Ｂ線断面図である。
【図３】本発明の実施例による紙幣搬送装置の駆動機構を示す図であり、(ａ)は駆動ケースの上面図、(ｂ)は駆動ケースの正面図、(ｃ)は駆動ケースの下面図である。
【図４】本発明の実施例による紙幣搬送装置の駆動ケースに係る分解斜視図である。
【図５】(ａ)は本発明の実施例による紙幣搬送装置に係る導入ガイドの正面図、(ｂ)は図５(ａ)のＣ−Ｃ線断面図である。
【図６】(ａ)は本発明の実施例による紙幣搬送装置に係る補助ガイドの正面図、(ｂ)は図６(ａ)のＤ−Ｄ線断面図である。
【図７】(ａ)は本発明の実施例による紙幣搬送装置に係る可動ガイドの正面図、(ｂ)は図７(ａ)のＥ−Ｅ線断面図である。
【図８】本発明の実施例による紙幣搬送装置の駆動ケースにおいて、上側駆動ケースと下側駆動ケースとの間に補助ガイドと可動ガイドを嵌合する構造を示す概略図である。
【図９】(ａ)は本発明の実施例による紙幣搬送装置に係る導入搬送路を示す部分拡大図であり、(ｂ)は可動ガイド（可動受入口）を移動した状態を示す。
【符号の説明】
【００５２】
１  紙幣搬送装置    ２  駆動ケース    ３  搬送腕    ４  ジョイント
５  可動受入口    ５Ａ  導入搬送路    ５Ｂ  補助導入部    ５Ｃ  導入部
６  固定受入口    ７  主搬送路    ８  上流側受入口    ９  下流側送出口
１０  導入ガイド    １０ａ、１０ｂ  ガイド片    １１  第１の駆動ローラ
１２  第１のテンションローラ    １２ａ  ローラ軸    １２ｂ  弾性バネ
１３  固定導入案内部材    １４  第２の駆動ローラ    １５  第２のテンションローラ
１６  第１のベルト駆動プーリ    １７  駆動モータ    １７ａ  モータギヤ
１８  搬送ベルト    １９  第２のベルト駆動プーリ    ２０  ベルト駆動ローラ
２１  ベルト駆動ローラ    ２２  モータケース    ２３  モータギヤ
２４  従動ギヤ    ２４ａ  ギヤ軸    ２５  ベルト駆動ギヤ    ２５ａ  ギヤ軸
２６  駆動上部プーリ    ２６ａ  プーリ軸    ２６ｂ  軸受    ２７  駆動上部プーリ
２８  駆動ベルト    ２９  連結駆動ギヤ    ２９ｂ  ギヤ軸
３０  軸受    ３１  伝達従動ギヤ    ３１ａ  ギヤ軸    ３１ｂ  同軸プーリ
３３  駆動ベルト    ３４  ベルト駆動プーリ    ３５  駆動ローラ  
３６、３７  伝達ベルトガイド    ３６ａ、３７ａ  支軸    ３６ｂ、３７ｂ  
軸受    ３７  軸受    ３８  ローラ保持片    ３９  案内部    
４０  補助ガイド    ４０ａ、４０ｂ  ガイド片    ４１  突起    
４２  テンションローラ    ４３  スリット    ４４  案内用爪    ４５  傾斜状爪
４６  位置決め用溝    ４７  隆起部    ４８  ベルト従動ローラ    ４８ａ  ローラ軸
４９  弾性バネ    ５０  可動ガイド    ５１  凹溝    ５２ａ  上側駆動ケース
５２ｂ  下側駆動ケース    ５３ａ  第１のガイド用溝部    ５３ｂ  第２のガイド溝部
５４  突起    ５５  固定用突出片    ５５ａ  ネジ穴    ５６ａ、５６ｂ  ネジ穴
５７  ネジ    ５７ａ、５７ｂ  前側枠    ５８  案内部    ５９  突起    
６０  スリット    ６１  案内用爪    ６２  突起    ６３  傾斜爪    ６４  弾性片
６５  位置決め用爪    ６６  プーリケース    ６７  テンションローラ    
Ｌ  搬送路    Ｓ１  導入路    Ｓ２  導入路    Ｆ  紙幣の流れ
【図１】
0005014896.tif 000002
【図２】
0005014896.tif 000003
【図３】
0005014896.tif 000004
【図４】
0005014896.tif 000005
【図５】
0005014896.tif 000006
【図６】
0005014896.tif 000007
【図７】
0005014896.tif 000008
【図８】
0005014896.tif 000009
【図９】
0005014896.tif 000010